(57)【特許請求の範囲】
【請求項１】
枠状に形成された固定枠と、
枠状に形成され、前記固定枠に対して開閉可能に支持され、枠形状の内側に遊技盤が着脱可能な遊技盤取付枠と、
前記遊技盤取付枠の前面に開閉可能な状態で支持され、前記遊技盤取付枠に取り付けられた遊技盤を視認可能にする遊技盤視認用透明窓が設けられた前扉体と、
前記前扉体の前記遊技盤視認用透明窓より下側に設けられ、遊技球の貯留を行う上側が開放した凹形状の遊技球供給皿が形成され、当該遊技球供給皿の縁部に上側パネル部が形成され、当該上側パネル部の手前に段部を介して下側に配置する下側パネル部を有し、前記上側パネル部の前辺を切り欠いて切欠部が形成され、当該切欠部を含む凹部が上側パネル部及び当該上側パネル部の下側の前面に形成された受皿ユニットと、
円柱形状に形成され、上側の端面に外部操作が可能な操作部を有し、前記上側パネル部の前記切欠部から前記操作部を露出させ上側の端面を前記上側パネル部と略同一平面上に配置し、上下の中間部の前方の少なくとも一部分が露出した状態で前記凹部に部分的に挿入されて受皿ユニットに取り付けられる操作ボタンと、
前記操作ボタンの前記中間部に設けられ、当該中間部における前記受皿ユニットの前記凹部より前方に露出する部分から演出用の照明を行う操作ボタン側電飾部と、
を備えることを特徴とする遊技機。
【請求項２】
前記操作ボタン側電飾部は、
前記操作部の下側に設けられ円周面状に形成され透明性を有する円周面部と、
前記円周面部の内側に設けられた発光部と、
前記円周面部の内側に設けられ、前記発光部からの照明光の照射方向を変動させて前記円周面部の内側から外側へ透過させる光方向変動手段と、
を備えることを特徴とする請求項１に記載の遊技機。
【請求項３】
前記光方向変動手段は、
前記発光部からの照明光を反射面で反射する反射板と、
前記反射面の角度が変化するように前記反射板を駆動する反射板駆動手段と、
を備えることを特徴とする請求項２に記載の遊技機。
【請求項４】
前記受皿ユニットの前記下側パネル部には、音声の放音を行う放音部が形成されていることを特徴とする請求項１乃至３のいずれかに記載の遊技機。
【請求項５】
前記受皿ユニットは、前記下側パネル部及び操作ボタンユニットの下側に演出用の照明を行う受皿ユニット本体側電飾部を有していることを特徴とする請求項１乃至４のいずれかに記載の遊技機。
【請求項６】
前記前扉体は、透明性を有した透明収納部が前記遊技盤視認用透明窓の上側、一方及び他方の脇側のうち少なくとも一つの側に形成され、当該透明収納部に立体形状の前記装飾部材を挿脱可能な状態で収納し、
前記遊技盤視認用透明窓及び前記透明収納部は、透明の素材により一体成形されていることを特徴とする請求項１乃至５のいずれかに記載の遊技機。
【請求項７】
前記前扉体は、透明性を有した透明収納部が前記遊技盤視認用透明窓の上側、一方及び他方の脇側のうち少なくとも一つの側に形成され、当該透明収納部に立体形状の装飾部材を挿脱可能な状態で収納し、
前記装飾部材は、前記遊技盤に取り付け固定されていることを特徴とする請求項１乃至６のいずれかに記載の遊技機。
【発明の詳細な説明】
【技術分野】
【０００１】
本発明は、遊技盤が着脱可能な遊技盤取付枠の前面に前扉体が開閉可能な状態で支持される遊技機に関する。
【背景技術】
【０００２】
従来のパチンコ遊技機は、通常、木枠の前面に、前枠と呼ばれ遊技盤を取り付けるための遊技盤取付枠がヒンジを介して開閉可能に取り付けられ、その遊技盤取付枠の前面に、遊技盤の前面を覆うように、ガラス板を装着したガラス枠がヒンジを介して開閉可能に取り付けられている。
【０００３】
近年、パチンコ遊技機では、その前面装飾を目立たせる目的で、ガラス枠の前面周縁部に多彩な色等で装飾した合成樹脂製のガラス板装飾枠を設けた構造のパチンコ遊技機が開発されている。ここで遊技施設では、遊技者の興味を引き集客性を向上させるために、通常、ある程度の期間で新台入替を行なうが、パチンコ遊技機の遊技盤が使用に伴って汚れ易いこと、及びパチンコ遊技機全体を新たなパチンコ遊技機に交換するには多くの費用が必要なことから、通常の新台入替は、遊技盤のみを交換することにより行なわれる。
【０００４】
このため、合成樹脂製のガラス板装飾枠を前面に有したパチンコ遊技機であっても、パチンコホールが新台入替えを行なう際には、遊技盤を新しいものと交換するのみで、ガラス板装飾枠は、従来のものを使用することになるため、遊技者には、新台入替の目新しさを感じさせにくいという問題があった。
【０００５】
このことに対応して、特許文献１に記載のパチンコ遊技機では、遊技盤を取り付ける遊技盤取付枠と、この遊技盤取付枠の前面に開閉可能に設けられ、周縁部に透光性を有する透光透明部を形成した前面装飾枠と、この前面装飾枠の後側に着脱可能な状態で配置し、周縁部に装飾を施した装飾部を有すると共に中央に遊技盤を外部から視認可能にする遊技盤視認用透明部を有したガラス板部材とを備え、前記前面装飾枠の周縁部の透光透明部から前記ガラス板部材の装飾部を見えるようにすることで、遊技盤視認用透明部の周囲を装飾する装飾部を簡単に新しくすることができる技術が開示されている。
【０００６】
さらに、近年、パチンコ遊技機は、特許文献２に記載のように遊技者が遊技中に操作可能な操作ボタン（チャンスボタン）を備え、遊技者が操作ボタンを操作することにより液晶表示装置の表示画像やランプ装置による演出パターンを変化させる演出が広く採用されている。
【先行技術文献】
【特許文献】
【０００７】
【特許文献１】特許第３８０６７９８号公報（段落００１５〜００１９、図１、図３）
【特許文献２】特開２００９−１１２４１２号公報（段落００１１、図２）
【発明の概要】
【発明が解決しようとする課題】
【０００８】
上述のように従来のパチンコ遊技機では、遊技盤の交換の際に遊技盤視認用透明部の周囲を装飾する装飾部を遊技盤の機種に個別に対応して新しくすることが可能な構造を採用した場合、前記装飾部が平面形状になり立体感に乏しく、前記装飾部に対して可動部や発光部等の演出装置を組み込むのが困難であった。また、従来のパチンコ機においては、遊技者が遊技中に操作可能な操作ボタンを配置し遊技者が操作ボタンを操作することによりランプ装置による演出パターンを変化させる演出が広く採用されているが、操作ボタンがランプ装置から離れている場合が多く動作を見逃す場合が多々あった。
【０００９】
本発明は、上記の問題に鑑み、遊技盤の交換の際に遊技盤視認用透明部の周囲を装飾する装飾部を遊技盤の機種に個別に対応して新しくすることが可能な構造を採用するとともに、当該装飾部の立体感を高め、操作ボタンの操作を起因とした演出の効果を高めることができる遊技機を提供することを目的とする。
【課題を解決するための手段】
【００１０】
請求項１に記載の発明の遊技機は、枠状に形成された固定枠と、枠状に形成され、前記固定枠に対して開閉可能に支持され、枠形状の内側に遊技盤が着脱可能な遊技盤取付枠と、前記遊技盤取付枠の前面に開閉可能な状態で支持され、前記遊技盤取付枠に取り付けられた遊技盤を視認可能にする遊技盤視認用透明窓が設けられた前扉体と、前記前扉体の前記遊技盤視認用透明窓より下側に設けられ、遊技球の貯留を行う上側が開放した凹形状の遊技球供給皿が形成され、当該遊技球供給皿の縁部に上側パネル部が形成され、当該上側パネル部の手前に段部を介して下側に配置する下側パネル部を有し、前記上側パネル部の前辺を切り欠いて切欠部が形成され、当該切欠部を含む凹部が上側パネル部及び当該上側パネル部の下側の前面に形成された受皿ユニットと、円柱形状に形成され、上側の端面に外部操作が可能な操作部を有し、円柱形状に形成され、上側の端面に外部操作が可能な操作部を有し、前記上側パネル部の前記切欠部から前記操作部を露出させ上側の端面を前記上側パネル部と略同一平面上に配置し、上下の中間部の前方の少なくとも一部分が露出した状態で前記凹部に部分的に挿入されて受皿ユニットに取り付けられる操作ボタンと、前記操作ボタンの前記中間部に設けられ、当該中間部における前記受皿ユニットの前記凹部より前方に露出する部分から演出用の照明を行う操作ボタン側電飾部と、を備えることを特徴とする。
【００１１】
前記操作ボタン側電飾部は、前記操作部の下側に設けられ円周面状に形成され透明性を有する円周面部と、前記円周面部の内側に設けられた発光部と、  前記円周面部の内側に設けられ、前記発光部からの照明光の照射方向を変動させて前記円周面部の内側から外側へ透過させる光方向変動手段と、を備えることを特徴とする（請求項２）。
【００１２】
前記光方向変動手段は、前記発光部からの照明光を反射面で反射する反射板と、  前記反射面の角度が変化するように前記反射板を駆動する反射板駆動手段と、  を備えることを特徴とする（請求項３）。
【００１３】
前記受皿ユニットの前記下側パネル部には、音声の放音を行う放音部が形成されていることを特徴とする（請求項４）。
【００１４】
前記受皿ユニットは、前記下側パネル部及び操作ボタンユニットの下側に演出用の照明を行う受皿ユニット本体側電飾部を有していることを特徴とする（請求項５）。
【００１５】
前記前扉体は、透明性を有した透明収納部が前記遊技盤視認用透明窓の上側、一方及び他方の脇側のうち少なくとも一つの側に形成され、当該透明収納部に立体形状の前記装飾部材を挿脱可能な状態で収納し、前記遊技盤視認用透明窓は、透明の素材により一体成形されていることを特徴とする（請求項６）。
【００１６】
前記前扉体は、透明性を有した透明収納部が前記遊技盤視認用透明窓の上側、一方及び他方の脇側のうち少なくとも一つの側に形成され、当該透明収納部に立体形状の装飾部材を挿脱可能な状態で収納し、前記装飾部材は、前記遊技盤に取り付け固定されていることを特徴とする（請求項７）。
【００１７】
従来、遊技盤の交換の際に遊技盤視認用透明部の周囲を装飾する装飾部を遊技盤の機種に個別に対応して新しくする技術では、前記装飾部が平面形状であり、立体感に乏しく、可動部や発光部等の演出装置を組み込むのが困難であった。また、従来のパチンコ機においては、遊技者が遊技中に操作可能な操作ボタンを配置し遊技者が操作ボタンを操作することによりランプ装置による演出パターンを変化させる演出が広く採用されているが、操作ボタンがランプ装置から離れている場合が多く動作を見逃す場合が多々あった。
【００１８】
これに対し、本発明では、前扉体には、透明性を有した透明収納部が前記遊技盤視認用透明窓の上側、一方及び他方の脇側のうち少なくとも一つの側に形成され、当該透明収納部には立体形状の装飾部材を挿脱可能な状態で収納するので、遊技盤の交換の際に遊技盤視認用透明部の周囲を装飾する装飾部を遊技盤の機種に個別に対応して新しくすることが可能な構造を採用するとともに、装飾部の立体感を高め、装飾部に可動部や発光部等の演出装置を組み込むのを容易にして、遊技者に新台入替の目新しさを強く感じさせることができ、また、前記操作ボタンの上下の中間部には、前記受皿ユニットの前記凹部より前方に露出するする部分から演出用の照明を行う操作ボタン側電飾部が設けられているので、操作ボタンの操作を起因とした演出の効果を高めることができる。
【発明の効果】
【００１９】
本発明によれば、前扉体には、透明性を有した透明収納部が前記遊技盤視認用透明窓の上側、一方及び他方の脇側のうち少なくとも一つの側に形成され、当該透明収納部には立体形状の装飾部材を挿脱可能な状態で収納するので、遊技盤の交換の際に遊技盤視認用透明部の周囲を装飾する装飾部を遊技盤の機種に個別に対応して新しくすることが可能な構造を採用するとともに、装飾部の立体感を高め、装飾部に可動部や発光部等の演出装置を組み込むのを容易にして、遊技者に新台入替の目新しさを強く感じさせることができ、また、前記操作ボタンの上下の中間部には、前記受皿ユニットの前記凹部より前方に露出するする部分から演出用の照明を行う操作ボタン側電飾部が設けられているので、操作ボタンの操作を起因とした演出の効果を高めることができ、遊技者と遊技施設の関係者の双方に好印象を与えることができる。
【図面の簡単な説明】
【００２０】
【図１】本発明に係る実施形態の遊技機を示す斜視図である。
【図２】本発明に係る実施形態の遊技機の分解斜視図である。
【図３】本発明に係る実施形態の遊技機の正面図である。
【図４】本発明に係る実施形態の遊技機の前扉体を不透明にして示す斜視図である。
【図５】本発明に係る実施形態の遊技機の背面図である。
【図６】本発明に係る実施形態の遊技機の左斜め後方から見た斜視図である。
【図７】本発明に係る実施形態の遊技機の右側方から見た断面の概略を示す説明図である。
【図８】本発明に係る実施形態の遊技機及びこれと接続する機材の回路構成を示すブロック図である。
【図９】本発明に係る実施形態の固定枠の分解斜視図である。
【図１０】本発明に係る実施形態の遊技盤取付枠の斜視図である。
【図１１】本発明に係る実施形態の遊技盤の斜視図である。
【図１２】本発明に係る実施形態の前扉体の右斜め前方から見た斜視図である。
【図１３】本発明に係る実施形態の前扉セットの右斜め後方から見た斜視図である。
【図１４】本発明に係る実施形態のチャンスボタンユニットの分解斜視図である。
【図１５】本発明に係る実施形態のチャンスボタンユニットの組み立てた状態の斜視図である。
【図１６】本発明に係る本発明に係る実施形態のチャンスボタンユニットの動作を示す説明図である。
【図１７】本発明に係る実施形態の固定枠と遊技盤取付枠を組み立てた状態の斜視図である。
【図１８】本発明に係る実施形態の固定枠と遊技盤取付枠を組み立て遊技盤取付枠に遊技盤を取り付けた状態の斜視図である。
【図１９】本発明に係る実施形態の固定枠から遊技盤取付枠を開いた状態の遊技機の斜視図である。
【図２０】本発明に係る実施形態の遊技盤取付枠から前扉セットを開いた状態の遊技機の斜視図である。
【発明を実施するための形態】
【００２１】
以下、本発明に実施形態について図面を参照しながら具体的に説明する。
図１乃至図８は本発明に係る実施形態を示している。
【００２２】
図１は、本発明に係る実施形態の遊技機１を示す斜視図である。図２は、遊技機１の分解斜視図である。図３は、遊技機１の正面図である。図４は、遊技機１の前扉体６を不透明にして示す斜視図である。図５は、図１の遊技機１の背面図である。図６は、遊技機１の斜め後方から見た斜視図である。図７は、遊技機１の右側方から見た断面の概略を示す説明図である。図８は、遊技機１及びこれと接続する機材の回路構成を示すブロック図である。
【００２３】
初めに遊技機１の全体構成の説明をする。
図１において、遊技機１は、固定枠（外枠）２と、遊技盤取付枠（内枠）３と、遊技盤４と、前扉セット５とから構成されている。
【００２４】
固定枠２は、ホールにおいて遊技機１が配置される遊技島設備に固定されものであり、機枠又は機体として所定の外郭方形枠サイズに構成されている。
【００２５】
遊技盤取付枠３は、枠状に形成され、正面左側上下部に配設された開閉連結支持機構１１、１２（図３参照）を介して固定枠２に開閉（片持ち横開き）可能に組付けられることで、前記固定枠２に対して開閉可能に支持されている。
【００２６】
遊技盤取付枠３は、枠形状の内側に遊技盤４が着脱可能にセット保持されている。遊技盤４は、パチンコゲームを展開し得るものである。また、遊技盤取付枠３は、遊技機１の正面右側下部に配設されたシリンダ錠１３及びこれと連動する後述の施錠装置１６１（図１０参照）を利用して固定枠２に対して閉鎖状態に保持される。
【００２７】
遊技盤取付枠３の正面側には、遊技盤取付枠３の前側面域に合わせた方形状の前扉セット５が横開き開閉及び着脱が可能に組付けられており、シリンダ錠１３及びこれと連動する後述の施錠装置１６１（図１０参照）を利用して遊技盤取付枠３の前面を覆う閉止状態で保持される。
【００２８】
図２において、固定枠２は、固定枠本体２１の下部に装飾部材２２がネジ止めにより取り付け固定される構造になっている。
前扉セット５は、前扉体６及び受皿ユニット７から構成されている。
【００２９】
図1及び図２において、前扉体６は、前記遊技盤取付枠３の前面に開閉可能な状態で支持されている。前扉体６には、前記遊技盤取付枠３に取り付けられた遊技盤４を視認可能にする透明性の遊技盤視認用透明窓６１（図４参照）が設けられるとともに、透明性を有する透明収納部６２（図４参照）が前記遊技盤視認用透明窓６１の上側に形成され、当該透明収納部６２には、遊技盤４側の立体形状の装飾部材としての電飾装置１０１が挿脱可能な状態で収納されるようになっている。当該透明収納部６２は、電飾装置１０１を外部から視認可能にする。前記遊技盤視認用透明窓６１及び前記透明収納部６２は、ポリカーボネート等の透明の素材により一体成形されている。
【００３０】
受皿ユニット７は、樹脂製のケース本体７０を基本構造とし、前記前扉体６の前記遊技盤視認用透明窓６１より下側に設けられている。受皿ユニット７には、前側に後述のチャンスボタンユニット７６が設けられる凹部８が形成されている。受皿ユニット７には、上側が開放した凹形状の前記遊技球供給皿７１が形成されている。前記遊技球供給皿７１は、前扉体６の球払出口６４から払い出された遊技球を貯留して整列させる。
【００３１】
図７において、遊技盤取付枠３に取り付けられた遊技盤４は、基材となる遊技板４０の前面に設けられた遊技領域４１を前記前扉体６の正面に臨ませている。
【００３２】
図１において、受皿ユニット７の右下方位置には、遊技盤取付枠３に設けられた発射部３１（図２参照）を作動させる操作ハンドル６５が配置されている。
【００３３】
操作ハンドル６５は前扉体６から遊技者側へ突出し、前記発射部３１（図２参照）の駆動によって遊技球を発射させる際に遊技者によって操作されている。
【００３４】
操作ハンドル６５は前記発射部３１（図２参照）を駆動させて遊技球を発射させる発射指示部材６６を備えている。発射指示部材６６は、操作ハンドル６５の外周部に、遊技者から見て右回りに回転可能に設けられ、この回転に連動する発射ボリューム６５ａ（図８参照）を有し、遊技者によって直接操作されているときに発射ボリューム６５ａの抵抗値によって発射部３１（図２参照）に遊技球発射の指示を与える。また、操作ハンドル６５には遊技者が発射指示部材６６を直接操作していることを検出するタッチセンサ６５ｂ（図８参照）等が内蔵されている。操作ハンドル６５に接触すると、操作ハンドル６５に設けられているタッチセンサ６５ｂが、操作ハンドル６５に遊技者が触れたことを検知し、発射制御基板３６（図６及び図８参照）にタッチ信号を送信する。発射制御基板３６は、タッチセンサ６５ｂからタッチ信号を受信すると、発射部３１の発射用ソレノイド３１ａ（図８参照）の通電を許可する。
【００３５】
発射部３１の駆動によって発射された遊技球は、遊技盤４の遊技板４０に取り付けられた外側及び内側のレール４２、４３間を上昇して遊技盤４の上部位置に達した後、遊技領域４１内を落下する。遊技領域４１には、遊技球を不特定の方向に向けて落下させるための複数の釘に加え、遊技球の落下方向を変化させる風車や入球口が配置されている。
【００３６】
遊技領域４１の中央部分にはセンター役物４４が配置されている。センター役物４４には、例えば液晶表示器（ＬＣＤ）を用いた画像出力装置４５が配置されている。
【００３７】
画像出力装置４５の下方には遊技球を受入れ可能な第１始動口４６が配置され、第１始動口４６の下方には一対の可動片４７Ｌ、４７Ｒ（図３参照）を有する第２始動口４８が配置されている。第２始動口４８は一対の可動片４７Ｌ、４７Ｒ（図３参照）が閉状態のときに遊技球の受入れを困難にし、開状態のときに第１始動口４６よりも遊技球の受入れを容易にする。
【００３８】
画像出力装置４５の左側には、遊技球の通過を検出し、第２始動口４８を一定時間だけ開放させる普通図柄の抽選を行うための入賞ゲート４９が配置されている。入賞ゲート４９の下方位置等には、遊技球が入球したときに所定数（例えば１０個）の賞球払い出しの権利を獲得する普通入賞口５０ａ、５０ｂ、５０ｃ、５０ｄが配置されている。遊技領域４１の最下部にはどの入球口にも入球しなかった遊技球を回収する回収口５１が配置されている。
【００３９】
図３において、遊技板４０の右下には、主制御基板４０１（図８参照）に設けられた第１特別図柄抽選手段による抽選結果を表示する第１特別図柄表示装置５２、及び主制御基板４０１（図８参照）に設けられた第２特別図柄抽選手段による抽選結果を表示する第２特別図柄表示装置５３が配置されている。これら両表示装置５２、５３には特別図柄が変動表示されていると共に、所定時間経過後に所定の図柄が停止表示され、始動口への遊技球の入球を契機とする抽選の結果が表示されている。両表示装置５２、５３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００４０】
特別図柄の変動表示中に第１始動口４６、あるいは第２始動口４８に遊技球が入球すると、当該入球によって得られる特別図柄の変動表示の権利（以下「保留球」という）が留保されている。この留保された保留球の数は第１特別図柄保留表示装置５４及び第２特別図柄保留表示装置５５に表示されている。
【００４１】
特別図柄の変動表示中に入賞ゲート４９に遊技球が入球すると、普通図柄抽選手段による抽選が行われるが、この抽選結果を表示する普通図柄表示装置５６が前記両表示装置５２、５３の付近に配置されている。普通図柄の変動表示中に入賞ゲート４９に遊技球が入球することによって得られる普通図柄の変動表示の権利、すなわち保留球の数が普通図柄表示装置５７に表示されている。
【００４２】
画像出力装置４５は第１始動口４６、または第２始動口４８に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域４１の下方に位置する大入賞口ユニット５８における開閉扉５９が一定時間、開放する動作を所定回数（例えば１５回）繰り返し、入球した遊技球に対応する賞球が払い出されている。
【００４３】
大入賞口ユニット５８は遊技盤４に設けられた大入賞口６０を開閉する開閉扉５９を開閉自在に支持し、開閉扉５９が大入賞口６０の前面（表面）側に位置した状態で、遊技盤４の背面に設置されている。開閉扉５９は通常時には閉鎖して大入賞口６０を閉塞しており、大入賞口６０に遊技球が入球することを阻止している。大当たり遊技が開始されたときには、大入賞口開閉ソレノイド５８ｂ（図８参照）への通電により開閉扉５９が開放して大入賞口６０を開放させる。大入賞口６０の開放時には、開閉扉５９が遊技球を大入賞口６０内に導くための受け皿として機能するため、大入賞口６０に遊技球が入球可能となる。
【００４４】
センター役物４４における画像出力装置４５の上側及び側方（図１においては紙面右側）には、演出用の役物装置（以下、「演出用役物装置」という）９１、９２が配置されている。演出用役物装置９１、９２は例えばモータによって駆動されるようになっている。センター役物４４における演出用役物装置９１の上側には、遊技機１の商品名を模った電飾装置９３が設けられている。
【００４５】
遊技板４０の遊技領域４１の上側には、板面を上方に延出させて延出部１００が形成されている。延出部１００の前面には、電飾装置１０１が取り付けられている。電飾装置１０１は、前扉体６が閉塞された状態で透明収納部６２に収納され、外部から視認可能である。電飾装置１０１には、発光ダイオードによる光源が設けられており、演出内容に応じて発光するようになっている。
【００４６】
図１において、受皿ユニット７の前記遊技球供給皿７１の前側の縁部には、上側パネル部７２が形成されている。また、受皿ユニット７は、上側パネル部７２から左右の段部７３Ｌ、７３Ｒを介して下側に配置する下側パネル部７４Ｌ、７４Ｒを有している。
【００４７】
受皿ユニット７は、当該上側パネル部７２の前辺を半円形状に切り欠いて形成された切欠部７５を有し、当該切欠部７５を含む凹部８が上側パネル部７２及び当該下側パネル部７４Ｌ、７４Ｒの下側の前面に形成されている。この凹部８は、下側パネル部７４Ｌ、７４Ｒの間に設けられる。
【００４８】
チャンスボタンユニット７６は、円柱形状に形成されたチャンスボタン５１０を備え、当該チャンスボタン５１０の上側の端面に外部操作が可能な操作部７７を有している。また、チャンスボタンユニット７６は、前記上側パネル部７２の切欠部７５から上側の端面の前記操作部７７を露出させるとともに前記操作部７７を上側パネル部７２と略同一平面上に配置した状態で前記下側パネル部７４Ｌ、７４Ｒの間に設けられた前記凹部８に部分的に挿入されて受皿ユニット７に取り付けられる。
【００４９】
前記チャンスボタン５１０の上下の端面の間には、前記受皿ユニット７の前記凹部８より前方に露出するする部分から演出用の照明を行うチャンスボタンユニット側電飾部７８が設けられている。
【００５０】
チャンスボタンユニット７６は、前後の１／４程度が上側パネル部７２より前方に突出して配置している。チャンスボタンユニット７６の操作部７７による操作は例えば遊技中における特定のリーチ演出に際し、チャンスボタンユニット７６の操作を促すガイダンスが表示されている間有効となる。上側パネル部７２の右側部には、遊技球貸出装置２０（図３参照）に関わる変換ボタンとしての球貸しボタン７９と、返却ボタン８０が前記チャンスボタン５１０を中心とした円周上に並べて配置している。上側パネル部７２の返却ボタン８０より後側には、複数のＬＥＤの点灯によって情報の表示を行う表示部８１が設けられている。
【００５１】
遊技機１は、図３に示す遊技球貸出装置（ＣＲ機）２０が送受信可能に接続されるようになっている。遊技球貸出装置２０は、プリペイドカード等の記録媒体のカード挿排口５００を備え当該記録媒体に記録された金額の残高に応じて遊技球の球貸しの制御を行う。図１に示す表示部８１は、前記記録媒体に記録された金額の残高の情報を表示するとともに前記球貸しボタン７９と、返却ボタン８０が有効中であるか否かを表示する。
【００５２】
図１において、表示部８１の左斜め後側には、整列路８３が設けられている。整列路８３は、遊技球供給口８４に向けて下方にわずかに傾斜しており、前記遊技球供給皿７１からの遊技球を整列させて遊技球供給口８４に導く。
【００５３】
整列路８３の右側には、球抜きボタン８５が設けられている。遊技機１は、球抜きボタン８５を手動で押し続けることにより、整列路８３の先端に設けた開閉板を移動させて球皿側球排出口２０１を開放し、遊技球供給皿７１に貯留された遊技球を球抜きして下側球排出口２０２（図７参照）に送るようにしている。下側球排出口２０２から排出される遊技球は、通常、ドル箱と呼ばれる遊技球収納箱に受け止められ収納される。
【００５４】
遊技盤取付枠３には、演出効果音、または不正を知らしめる音声を出力するスピーカ３２Ｌ、３２Ｒ（図２参照）が組み込まれている。
【００５５】
前記受皿ユニット７の下側パネル部７４Ｌ、７４Ｒには、スピーカ３２Ｌ、３２Ｒからの音声の放音を行う左右の放音部２０３Ｌ、２０３Ｒが設けられている。
【００５６】
図２に示すスピーカ３２Ｌ、３２Ｒは高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
【００５７】
下側パネル部７４Ｌ、７４Ｒの下側には、チャンスボタンユニット７６を挟んで横長の透明部２０４が設けられ、横長の透明部２０４の内側には演出用の発光を行う電飾装置２０５が設けられている。前記受皿ユニット７の横長の透明部２０４及び電飾装置２０５は、前記下側パネル部７４Ｌ、７４Ｒの下側に設けられ、演出用の照明を行う受皿ユニット本体側電飾部になっている。
電飾装置２０５は、前面及び上側が開放した棚型に形成された装飾取付部２０６にサーチライト形状の発光ユニット２０７を横方向に並べて取り付けたものである。発光ユニット２０７には、演出用の照明光の発光を行う発光ダイオードが設けられている。
【００５８】
前記チャンスボタンユニット７６の下側の端面は、前記下側パネル部７４Ｌ、７４Ｒの下端と略同一平面上に配置する。
【００５９】
図４において、前扉体６の遊技盤視認用透明窓６１は、板面が前方に向いた平面形状に形成されている。透明収納部６２は、横長に形成され、板面が前側斜め下方に向いた平面形状の中間部２１１の左右に、傾斜面部２１２、２１３が設けられている。傾斜面部２１２、２１３は、右斜め下側前方及び左斜め下側前方を向いている。
【００６０】
以下、図５及び図６を用いて遊技機１の背面側について説明する。
【００６１】
図５及び図６において、遊技機１の裏面の上部には、遊技球を貯留する貯留タンク３３が設置されており、貯留タンク３３は、遊技機１の裏面の左側の上部賞球ケース３４に覆われた払出装置３５に接続されている。賞球ケース３４は、遊技球通路を介して入球に基づく賞球（景品）としての遊技球や球貸し要求に基づく遊技球を遊技者に払い出す。払出装置３５は、例えばステッピングモータ等の駆動部３１ｂ（図８参照）が駆動することによって、賞球または貸し球としての遊技球を１個ずつ遊技者に払い出す。
【００６２】
遊技機１の裏面の払出装置３５の下側には、発射制御基板３６及び払出制御基板３７が前後に並べた状態で取り付けられている。発射制御基板３６及び払出制御基板３７は、基板ケース３０１により収納されている。
【００６３】
遊技機１の裏面の払出制御基板３７の右側には、基板ケース３０２に収納された電源基板３８が取り付けられている。遊技機１の裏面の払出制御基板３７の上側には、払出情報出力端子板３９が設けられている。払出情報出力端子板３９は、基板ケース３０１により収納されている。
【００６４】
貯留タンク３３、賞球ケース３４、払出装置３５、発射制御基板３６、払出制御基板３７及び電源基板３８は、遊技盤取付枠３側に固定されている。
【００６５】
遊技機１の裏側の電源基板３８の上側には、基板ケース４１１に収納され主制御基板４０１が設けられる。遊技機１の裏側の主制御基板４０１と貯留タンク３３の間には、基板ケース４１３に収納され背面カバー４１２で覆われた演出制御基板４０２が設けられている。遊技機１の裏側の演出制御基板４０２の左側下方には、遊技情報出力端子板４０３が取り付けられている。
【００６６】
主制御基板４０１、演出制御基板４０２、遊技情報出力端子板４０３、基板ケース４１１、４１３及び背面カバー４１２は、遊技盤４側に取り付けられている。
【００６７】
以下、図７を用いて受皿ユニット７におけるチャンスボタンユニット７６の取り付け構造について説明する。
【００６８】
図７において、上側パネル部７２の前辺を半円形状に切り欠いて形成された切欠部７５には、下方の延出する逆フランジ部８６が設けられている。逆フランジ部８６の下側には、ネジ止め部８７が形成されている。ネジ止め部８７には、ネジ８８によりチャンスボタンユニット７６がネジ止め固定される。このような構造により、チャンスボタンユニット７６は、ケース本体７０に固定されている。
【００６９】
（制御手段の内部構成）
次に、図８を用いて遊技の進行を制御する制御手段について説明する。
図８において、遊技機１の制御手段は、主制御基板４０１、演出制御基板４０２、払出制御基板３７、ランプ制御基板４０４及び画像制御基板４０５から構成されている。
【００７０】
主制御基板４０１は遊技の基本動作を制御する。この主制御基板４０１は、メインＣＰＵ４０１ａ、メインＲＯＭ４０１ｂ、メインＲＡＭ４０１ｃを備えている。メインＣＰＵ４０１ａは、各検出センサやタイマからの入力信号に基づいて、メインＲＯＭ４０１ｂに格納されたプログラムを読み出して演算処理を行うとともに、各装置や表示装置を直接制御したり、あるいは演算処理の結果に応じて他の基板に所定のコマンドを送信したりする。メインＲＡＭ４０１ｃは、メインＣＰＵ４０１ａの演算処理時におけるデータのワークエリアとして機能する。
【００７１】
前記主制御基板４０１の入力側には、第１始動口検出センサ４６ａ、第２始動口検出センサ４８ａ、第１大入賞口検出センサ５８ａ、入賞ゲート検出センサ４９ａ及び一般入賞口検出センサ５０ｅが接続されている。これら各センサ４６ａ、４８ａ、５８ａ、４９ａ、５０ｅは、それぞれ対応する検出信号を主制御基板４０１に送信する。
【００７２】
主制御基板４０１の出力側には、第２始動口４８の一対の可動片４７Ｌ、４７Ｒを動かす第２始動口開閉ソレノイド４８ｂ、大入賞口ユニット５８の大入賞口開閉扉５９を動かす大入賞口開閉ソレノイド５８ｂが接続されている。主制御基板４０１は、出力ポート（図示せず）を介して各ソレノイド４８ｂ、５８ｂを制御する信号を各ソレノイド４８ｂ、５８ｂに送信する。また、主制御基板４０１の出力側には、第１特別図柄表示装置５２、第２特別図柄表示装置５３及び普通図柄表示装置５６が接続されるとともに、第１特別図柄保留表示装置５４、第２特別図柄保留表示装置５５及び普通図柄保留表示装置５７が接続されている。主制御基板４０１は、出力ポート（図示せず）を介して各表示装置５２、５３、５４、５５、５６、５７を制御する信号を各表示装置５２、５３、５４、５５、５６、５７に送信する。また、主制御基板４０１は、第１始動口検出センサ４６ａ、第２始動口検出センサ４８ａ、一般入賞口検出センサ５０ｅ及び第１大入賞口検出センサ５８ａの検出結果に基づき、各入球口（第１始動口４６、第２始動口４８、普通入賞口５０ａ、５０ｂ、５０ｃ、５０ｄ、大入賞口６０）に入球した遊技球に対応した賞球数を払い出させる賞球要求信号を払出制御基板３７に送信する。
【００７３】
さらに、主制御基板４０１の出力側には遊技情報出力端子板４０３が接続されている。主制御基板４０１は、出力ポートを介して、所定の遊技に関する情報（以下、遊技情報という）が変換された外部信号を遊技情報出力端子板４０３に送信する。遊技情報出力端子板４０３には遊技機1の外側に設けられた遊技情報表示装置１０及び遊技店のホールコンピュータが接続されており、遊技情報出力端子板４０３からは前記の所定の遊技情報（外部信号）が遊技情報表示装置１０及びホールコンピュータに送信される。遊技者には、所定の遊技情報が遊技情報表示装置１０で出力（表示）されることで、遊技機（台）選びの判断材料が提供されることになる。一方、遊技店は、前記所定の遊技情報がホールコンピュータに接続された表示装置やプリンターで出力（表示・印刷）されることで、各遊技機の稼働状況を把握することができる。
【００７４】
演出制御基板４０２は、主に遊技中や待機中等の各演出を制御する。この演出制御基板４０２は、サブＣＰＵ４０２ａ、サブＲＯＭ４０２ｂ、サブＲＡＭ４０２ｃを備えており、主制御基板４０１に、当該主制御基板４０１から演出制御基板４０２への一方向に通信可能に接続されている。また、演出制御基板４０２の入力側には、チャンスボタン検出スイッチ７６ａが接続されている。演出制御基板４０２には、チャンスボタンユニット７６の操作部７７に操作が行われたことを示す演出ボタン検出信号がチャンスボタン検出スイッチ７６ａから送信される。
【００７５】
サブＣＰＵ４０２ａは、主制御基板４０１から送信されたコマンド、または、前記チャンスボタン検出スイッチ７６ａや図示しないタイマからの受信信号に基づいて、サブＲＯＭ４０２ｂに格納されたプログラムを読み出して演算処理を行うとともに、当該処理に基づいて、コマンドをランプ制御基板４０４や画像制御基板４０５に送信する。サブＲＡＭ４０２ｃは、サブＣＰＵ４０２ａの演算処理時におけるデータのワークエリアとして機能する。
【００７６】
払出制御基板３７は、遊技球の発射制御と遊技球の払い出し制御とを行う。この払出制御基板３７は、払出ＣＰＵ３７ａ、払出ＲＯＭ３７ｂ、払出ＲＡＭ３７ｃを備えており、主制御基板４０１及び発射制御基板３６に対して、双方向に通信可能に接続されている。
【００７７】
払出ＣＰＵ３７ａの入力側には、払出装置３５において遊技球が払い出されたか否かを検知する払出球計数スイッチ３５ａが接続されている。また、払出ＣＰＵ３７ａの入力側には、球貸しボタン７９の操作を検出する球貸しボタン検出スイッチ７９ａと、返却ボタン８０の操作を検出する返却ボタン検出スイッチ８０ａとが設けられている。
【００７８】
払出ＣＰＵ３７ａは、払出球計数スイッチ３５ａからの払出球検知信号と、球貸しボタン検出スイッチ７９ａからの球貸しボタン操作検出信号と、返却ボタン検出スイッチ８０ａからの返却ボタン操作検出信号と、タイマからの受信信号とに基づいて、払出ＲＯＭ３７ｂに格納されたプログラムを読み出して演算処理を行うとともに、当該処理に基づいて、対応するデータを主制御基板４０１に送信する。
【００７９】
払出制御基板３７の出力側には、貯留タンク３３から所定数の遊技球を遊技者に払い出すための払出装置３５の払出駆動部３５ｂが接続されている。払出ＣＰＵ３７ａは、主制御基板４０１から送信された賞球要求信号に基づいて、払出ＲＯＭ３７ｂから所定のプログラムを読み出して演算処理を行うとともに、払出装置３５を制御して所定の遊技球を遊技者に払い出す。このとき、払出ＲＡＭ３７ｃは、払出ＣＰＵ３７ａの演算処理時におけるデータのワークエリアとして機能する。
【００８０】
また、払出ＣＰＵ３７ａは、遊技機1の外側に設けられた遊技球貸出装置（カードユニット）２０が払出制御基板３７に接続されているか否かを確認し、遊技球貸出装置２０が接続されていれば、発射制御基板３６に遊技球を発射させることを許可する発射制御データを送信する。
【００８１】
払出制御基板３７の出力側には、表示部８１（図１参照）に設けられた遊技情報表示基板８１ａが接続されている。払出ＣＰＵ３７ａは、遊技球貸出装置２０から受信したデータに基づいて、遊技球貸出装置２０の前記カード挿排口５００に挿入されたカードの残高を情報表示基板８１ａに表示すとともに、球貸しボタン７９有効中である、即ち、遊技球貸出装置２０を用いた玉貸し可能であるか否かを情報表示基板８１ａに表示する。
【００８２】
発射制御基板３６は、払出制御基板３７から発射制御データを受信すると発射部３１（図２参照）による発射の許可を行う。そして、操作ハンドル６５（図１参照）に設けられたタッチセンサ６５ｂからのタッチ信号と発射指示部材６６（図１参照）に連動する発射ボリューム６５ａからの入力信号とを読み出し、発射部３１（図２参照）の発射用ソレノイド３１ａを通電制御し、遊技球を発射させる。
【００８３】
実施形態では、発射用ソレノイド３１ａの回転速度は、発射制御基板３６に設けられた水晶発振器の出力周期に基づく周波数から、約９９．９（回／分）に設定されている。これにより、１分間における発射遊技数は、発射用ソレノイド３１ａが１回転する毎に１個発射されるため、約９９．９（個／分）となる。
【００８４】
ランプ制御基板４０４は、前記各基板と同様に、ランプＣＰＵ４０４ａ、ランプＲＯＭ４０４ｂ、ランプＲＡＭ４０４ｃを備えており、遊技盤２に設けられた電飾装置９３、１０１、２０５の発光ダイオードを点灯制御する。また、演出用役物装置９１、９２を作動させるソレノイドやモータ等の駆動源を通電制御する。さらに、ランプ制御基板４０４は、チャンスボタンユニット７６のモータ５０２を回転駆動制御するとともに、チャンスボタンユニット７６の複数の発光ダイオード５３４、５６２を点灯制御する。このランプ制御基板４０４は、演出制御基板４０２に接続されており、演出制御基板４０２から送信されたコマンドに基づいて、前記の各制御を行うこととなる。
【００８５】
画像制御基板４０５は、少なくとも画像出力装置４５に表示される動画や静止画等の画像を制御する画像制御部４０５Ｂと、スピーカ３２Ｌ、３２Ｒから出力される音を制御する音声制御部４０５Ｃと、画像制御部４０５Ｂ及び音制御部４０５Ｃを統括制御する統括部４０５Ａとを有する。
【００８６】
画像制御基板４０５の統括部４０５Ａは、演出制御基板４０２から送信される演出確定コマンドを受信し、統括部４０５Ａの統括ＣＰＵ４０５Ａ１が画像出力装置４５に表示される画像の制御及びスピーカ３２Ｌ、３２Ｒから出力される音の制御を行う。統括ＲＯＭ４０５Ａ２には、当該統括ＣＰＵ４０５Ａ１の実行する制御プログラムが記憶されている。統括ＣＰＵ４０５Ａ１は、統括ＲＯＭ４０５Ａ２が接続されるとともに、統括ＲＡＭ４０５Ａ３が接続されており、統括ＣＰＵ４０５Ａ１の動作に必要な制御プログラムが読み出されるようになっている。
【００８７】
また、統括ＣＰＵ４０５Ａ１は、画像制御部４０５Ｂの画像ＣＰＵ４０５Ｂ１、及び、音制御部４０５Ｃの音ＣＰＵ４０５Ｃ１に接続される。画像ＣＰＵ４０５Ｂ１は画像出力装置４５に表示させる画像に対応する画像信号を生成し、生成した画像信号を画像出力装置４５の駆動回路に送信する。一方、音ＣＰＵ４０５Ｃ１は、スピーカ３２Ｌ、３２Ｒから出力させる音に対応する音信号を生成し、生成した音信号をスピーカ３２Ｌ、３２Ｒの駆動回路に送信する。
【００８８】
画像ＣＰＵ４０５Ｂ１には、画像ＲＯＭ４０５Ｂ２が接続されている。画像ＲＯＭ４０５Ｂ２には、画像ＣＰＵ４０５Ｂ１の実行する制御プログラムが記憶されている。画像ＲＯＭ４０５Ｂ２からは、画像ＣＰＵ４０５Ｂ１の動作に必要な制御プログラムが画像ＣＰＵ４０５Ｂ１の制御により読み出されるようになっている。また、画像ＣＰＵ４０５Ｂ１は、画像出力装置４５に表示する、例えば背景、キャラクタ、装飾図柄等の画像に係る画像データも予め記憶されている。また、画像ＣＰＵ４０５Ｂ１は、生成した画像信号を展開して記憶させる画像ＲＡＭ４０５Ｂ３にも接続されている。
【００８９】
なお、画像ＣＰＵ４０５Ｂ１は、画像出力装置４５に対して、背景画像表示処理、装飾図柄表示処理、キャラクタ画像表示処理など各種画像処理を実行するが、背景画像、装飾図柄画像、キャラクタ画像は、画像出力装置４５の表示画面上において重畳表示される。すなわち、装飾図柄画像やキャラクタ画像は背景画像よりも手前に見えるように表示される。このとき、同一位置に背景画像と図柄画像が重なる場合、Ｚバッファ法など周知の陰面消去法により各画像データのＺバッファのＺ値を参照することで、図柄画像を優先して画像ＲＡＭ４０５Ｂ３に記憶させる。
【００９０】
一方、音ＣＰＵ４０５Ｃ１にも、音声ＲＯＭ４０５Ｃ２が接続されている。音声ＲＯＭ４０５Ｃ２には、音ＣＰＵ４０５Ｃ１の実行する制御プログラムが記憶されている。音声ＲＯＭ４０５Ｃ２からは音４０５Ｃ１の動作に必要な制御プログラムが音ＣＰＵ４０５Ｃ１の制御により読み出されるようになっている。音４０５Ｃ１には、スピーカ３２Ｌ、３２Ｒから出力される音の音データも予め記憶されている。また、音ＣＰＵ４０５Ｃ１は、生成した音信号を展開して記憶する音ＲＡＭ４０５Ｃ３にも接続されている。
【００９１】
一方、上述の遊技情報出力端子板４０３は、主制御基板４０１において生成された外部信号を遊技店のホールコンピュータ及び遊技情報表示装置１０に伝達するための中継的な基板である。本実施形態においては、遊技情報出力端子板４０３は出力側で遊技情報表示装置１０にのみ直接接続されており、遊技情報表示装置１０を介してホールコンピュータに接続されている。遊技情報出力端子板４０３は、主制御基板４０１と配線接続され、遊技店のホールコンピュータ等と接続をするためのコネクタが設けられている。
【００９２】
なお、実施形態では遊技情報出力端子板４０３は遊技情報表示装置１０を介してホールコンピュータに接続されているが、遊技情報出力端子板４０３から遊技情報表示装置１０及びホールコンピュータの双方に接続される構成でもよい。また、遊技情報出力端子板４０３はホールコンピュータを介して遊技情報表示装置１０に接続される構成でもよい。
【００９３】
上述の払出情報出力端子板３９は、払出制御基板３７において生成された、賞球払出個数を示す賞球要求信号及び貸し球払出個数を示す球貸要求信号をホールコンピュータに出力するための中継的な基板である。本実施形態においては、払出情報出力端子板３９も遊技情報表示装置１０を介してホールコンピュータに接続されている。払出情報出力端子板３９は、払出制御基板３７と配線接続され、遊技店のホールコンピュータ等と接続をするためのコネクタが設けられている。
【００９４】
なお、実施形態では払出情報出力端子板３９は遊技情報表示装置１０を介してホールコンピュータに接続されているが、払出情報出力端子板３９から遊技情報表示装置１０及びホールコンピュータの双方に接続される構成でもよい。また、払出情報出力端子板３９はホールコンピュータを介して遊技情報表示装置１０に接続される構成でもよい。
【００９５】
電源基板３８は、コンデンサからなるバックアップ電源を備えており（図示せず）、遊技機に供給する電源電圧を監視し、電源電圧が所定値以下となったときに、電断検知信号を主制御基板４０１に出力する。より具体的には、電断検知信号がハイレベルになるとメインＣＰＵ４０１ａは動作可能状態になり、電断検知信号がローレベルになるとメインＣＰＵ４０１ａは動作停止状態になる。バックアップ電源はコンデンサに限らず、例えば、電池でもよく、コンデンサと電池とを併用して用いてもよい。
【００９６】
以下、遊技機１の各部材について詳細に説明する。
【００９７】
図９乃至図２０は本発明に係る実施形態を示し、図９は、固定枠２の分解斜視図である。図１０は、遊技盤取付枠３の斜視図である。図１１は遊技盤４の斜視図である。図１２は、前扉体６の右斜め前方から見た斜視図である。図１３は、前扉セット５の右斜め後方から見た斜視図である。図１４は、チャンスボタンユニットの分解斜視図である。図１５は、チャンスボタンユニットの組み立てた状態の斜視図である。図１６は、チャンスボタンユニットの動作を示す説明図である。図１７は、固定枠２と遊技盤取付枠３を組み立てた状態の斜視図である。図１８は、固定枠２と遊技盤取付枠３を組み立て遊技盤取付枠３に遊技盤４を取り付けた状態の斜視図である。図１９は、固定枠２から遊技盤取付枠３を開いた状態の遊技機１の斜視図である。図２０は、遊技盤取付枠３から前扉セット５０５を開いた状態の遊技機１の斜視図である。
【００９８】
まず、固定枠２について詳細に説明する。
図９において、実施形態における固定枠２は、固定枠本体２１と、装飾部材２２と、ネジ２３、２３とから構成されている。
【００９９】
固定枠本体２１は、例えば上下辺部１１１、１１２がアルミ製の板材１２１、１２２と木製の板材１２３、１２４が重ねて構成され、左右側辺部１１３、１１４がアルミ製の板材１２５、１２６により構成され、これら各板材が小ネジ等の離脱可能な締結具により全体として矩形枠状に組み付けられている。
【０１００】
左側辺部１１３の上下端部には、図２に示した開閉連結支持機構１１、１２の上軸受片１３１及び下軸受片１３２がそれぞれ設けられている。当該上軸受片１３１及び下軸受片１３２にて、図１７に示すように、遊技盤取付枠３の上下部が回動可能に支持されており、これにより遊技盤取付枠３が開閉可能となる。
【０１０１】
図９において、右側辺部１１４の枠内側面の上部及び下部には、遊技盤取付枠３に設けられた後述する施錠装置１６１（図１０参照）の内枠鉤部１６３、１６４（図１０参照）に対応して、上下一対の鉤受部１３３、１３４が設けられている。これにより、固定枠２に対して遊技盤取付枠３が閉じられた状態で、内枠鉤部１６３、１６４は、当該鉤受部１３３、１３４に係止される。
【０１０２】
さらに、固定枠２の下辺部１１２には、樹脂製の装飾部材２２がネジ２３、２３によりネジ止め固定されている。装飾部材２２の前面上側には、前方を向く垂直面部１４１が設けられている。装飾部材２２の前面下側には、前側斜め下方を向く傾斜面部１４２が設けられている。
【０１０３】
次に、遊技盤取付枠３を詳細に示す。
図１０において、遊技盤取付枠３は、外形が矩形状をなす樹脂ベース１５１を主体に構成されており、当該樹脂ベース１５１の中央部には略四角形状の部品挿入孔１５２が形成されている。
【０１０４】
部品挿入孔１５２には、図６に示した遊技盤４の主制御基板４０１、演出制御基板４０２、遊技情報出力端子板４０３、基板ケース４１１、４１３及び背面カバー４１２が挿入される。
【０１０５】
図１０において、当該樹脂ベース１５１の部品挿入孔１５２の前側には、遊技盤４の遊技板４０が内側に挿入される枠状部１５３が形成されている。
【０１０６】
枠状部１５３は、上壁１５４、下壁１５５、左側壁１５６、右側壁１５７からなる内側四面によって略長方形状の囲繞空間が形成され、この囲繞空間に図２に示す遊技盤４（図１１参照）が固定される。遊技盤４を固定する手段として、枠状部１５３の左側壁１５６の枠形状内側面の上下部には、遊技盤止め具１５８ａ、１５８ｂが設けられており、上壁１５４および下壁１５５のそれぞれ右側壁１５７寄りには遊技盤固定具１５９、１６０が設けられている。
【０１０７】
遊技盤取付枠３に遊技盤４を固定する場合、図１８に示すように、遊技盤４の遊技板４０の左辺が遊技盤止め具１５８ａ、１５８ｂに嵌入され、遊技盤４の遊技板４０の右上コーナー及び右下コーナーが遊技盤固定具１５９、１６０により押さえつけられる。
【０１０８】
遊技盤取付枠３に固定された遊技盤４は、遊技盤固定具１５９、１６０を操作することで遊技盤取付枠３からの取り外しが可能になる。
【０１０９】
図１０に示すように、遊技盤取付枠３の右面には、施錠装置１６１が設けられている。施錠装置１６１は、前方に設けられた内枠鉤部１６２と、後方に設けられた内枠鉤部１６３、１６４とを備え、前方に設けられた連動用突起部１６５、１６６の動作に連動して内枠鉤部１６２、１６３、１６４が上下にスライドするようになっている。連動用突起部１６５、１６６は、前扉セット５のシリンダ錠１３のロータと連動するスライド部１４（図１３参照）により作動される。
【０１１０】
作業者がシリンダ錠１３（図４参照）の鍵穴に鍵を挿入して時計回りに操作した場合、前扉セット５（図１３参照）のスライド部１４（図１３参照）が中間部から下側にスライドし、図１０に示す施錠装置１６１の連動用突起部１６５が下側にスライドして内枠鉤部１６３、１６４が下側に押し下げられて、内枠鉤部１６３、１６４による当該鉤受部１３３、１３４（図９参照）の係止が解除して固定枠２に対して遊技盤取付枠３が図１９に示すように開放可能になる。
【０１１１】
作業者がシリンダ錠１３（図４参照）の鍵穴に鍵を挿入して反時計回りに操作した場合、前扉セット５のスライド部１４（図１３参照）が中間部から上側にスライドし、図１０に示す施錠装置１６１の連動用突起部１６６が上側にスライドして内枠鉤部１６２が上側に押し上げられて、内枠鉤部１６２による鉤受部１５（図１３参照）の係止が解除して遊技盤取付枠３に対して前扉セット５が図２０に示すように開放可能になる。
【０１１２】
また、遊技盤取付枠３の右下側の内側面には、前扉セット５の前扉体６から延出するハーネス２４３を保持するフック１６７が設けられている。遊技盤取付枠３の右下側には、ハーネス２４３を遊技盤取付枠３の裏側へ挿通させる貫通部１６８が設けられている。
【０１１３】
遊技盤取付枠３の左側辺部の上下端部には、図２に示した開閉連結支持機構１１、１２の上軸取付片１６９及び下軸取付兼軸受片１７０がそれぞれ設けられている。上軸取付片１６９及び下軸取付兼軸受片１７０には、それぞれ軸１７１、１７２が設けられている。軸１７１、１７２は、固定枠２（図９参照）の上軸受片１３１及び下軸受片１３２にて回転可能な状態で軸受けが行われるようになっている。上軸取付片１６９及び下軸取付兼軸受片１７０は、図２０に示すように前扉セット５の前扉体６の上下部を回動可能に支持するようになっている。
【０１１４】
以下、遊技盤４について詳細に説明する。
図１１において、遊技盤４は、合板の前面に樹脂シートを貼り付けた構造の遊技板４０にセンター役物４４等の各種所物や遊技釘４２７を配置したものである。
【０１１５】
遊技盤４の前面には、遊技領域４１が形成されている。
センター役物４４は、前記遊技領域４１の中央に設けられ、開口部４２２が形成された枠部材４２１を主要構成とする前側ユニット４２０を有し、当該開口部４２２の背面側に画像出力装置４５が配置されている。画像出力装置４５の開口部４２２から露出する部分は、画面４２３となっている。
【０１１６】
センター役物４４の枠部材４２１の上側中央の若干左寄りには、曲面部４２４（図３参照）が設けられており、遊技領域４１は、この曲面部４２４から左右に分岐して左打ち用の遊技領域４２５と勢いが付きすぎた遊技球を減速させて回収口５１に導く線路４２６に分けられている。
【０１１７】
左打ち用の遊技領域４２５には、多数本の遊技釘４２７とともに、入賞ゲート４９、普通入賞口５０ａ、５０ｂ、５０ｃ、５０ｄ、風車４２８、第１始動口４６、第２始動口４８、大入賞口ユニット５８等が配置されている。大入賞口ユニット５８は、遊技板４０を貫通する取付孔に取り付け固定される。
【０１１８】
一方、枠部材４２１の左側壁４３１には、左打ち用の遊技領域４２５を落下する遊技球が付近の遊技釘４２７の誘導により比較的低い確率で突入するワープ経路４３２が設けられている。
【０１１９】
枠部材４２１の下壁４３３の正面側の上面には、ワープ経路４３２を通過した遊技球が転がるステージ面４３４が形成されている。ステージ面４３４の中央には遊技球を第１始動口４６に誘導する誘導孔４３５の入り口４３６が設けられている。誘導孔４３５の出口４３７は、第１始動口４６の上方に位置する。ステージ面４３４の手前には、ステージ面４３４から転落した遊技球が転がるステージ面４３８が形成されている。ステージ面４３８の中央には、遊技球を第１始動口４６に誘導する誘導溝４３９が形成されている。
【０１２０】
枠部材４２１の左側壁４３１、下壁４３３、右側壁４４０、上壁４４１により囲まれる領域は、上述の開口部４２２となっている。
【０１２１】
遊技球は、通常の遊技状態で、曲面部４２４よりも左下側に落下して左打ち用の遊技領域４２５に導かれ、遊技釘４２７や風車４２８に衝突しながら、あるものは、ワープ経路４３２、ステージ面４３４及び誘導孔４３５を通過し第１始動口４６に落下し、また、あるものは、ステージ面４３８及び誘導溝４３９を通過し第１始動口４６に落下し、また、あるものは、ワープ経路４３２を介さず直接下方に落下し、普通入賞口５０ａ、５０ｂ、５０ｃ、５０ｄまたは第１始動口４６に入賞し、また、あるものは、アウト球として回収口５１に集合し、アウト球通路孔を通って遊技盤４の裏面（背面）側に排出される。
【０１２２】
遊技板４０の上側の延出部１００の前面には、立体形状の電飾装置１０１が延出部１００の後側からのネジ止めにより取り付けられている。
【０１２３】
電飾装置１０１は、図１に示した装飾取付部２０６を上下逆にした形状の装飾取付部１０２にサーチライト形状の発光ユニット１０３を横方向に並べて取り付けたものである。発光ユニット１０３には、演出用の照明光の発光を行う発光ダイオードが設けられている。発光ユニット１０３は、延出部１００に形成された貫通孔を挿通するハーネスを介して図８に示したランプ制御基板４０４に接続している。
【０１２４】
以下、前扉体６と受皿ユニット７について詳細に説明する。
【０１２５】
図１２において、前扉体６の遊技盤視認用透明窓６１の下側には、不透明部６８が設けられている。不透明部６８の表面の左側には、球払出口６４が設けられる。
【０１２６】
図１３において、不透明部６８の裏面側には、球払出口６４に繋がる遊技球ガイド２４１が設けられている。遊技球ガイド２４１は、レール４２、４３（図１１参照）から逆流して落下する遊技球及び払出装置３５（図５参照）から払い出された遊技球を球払出口６４に導く。不透明部６８の背面における球払出口６４より右側には、開口部２４２が設けられ、この開口部２４２から受皿ユニット７の操作ハンドル６５の発射ボリューム６５ａ（図８参照）及びタッチセンサ６５ｂ（図８参照）等の電子部品と接続するハーネス２４３が延出している。
【０１２７】
透明板状部６７の略中央には、受皿ユニット７の背面に設けられた遊技球ガイド部材２０８が挿入される貫通孔２４４が形成されている。
【０１２８】
透明板状部６７の右側には、遊技盤取付枠３に設けられたスピーカ３２Ｌ、３２Ｒ（図１０参照）からの音声を通過させる左右の貫通孔２４５Ｌ、２４５Ｒが形成されている。左右の貫通孔２４５Ｌ、２４５Ｒは、左右の音伝達管路２４６Ｌ、２４６Ｒを介して放音部２０３Ｌ、２０３Ｒに繋がっている。スピーカ３２Ｌ、３２Ｒ（図１０参照）からの音声は、左右の貫通孔２４５Ｌ、２４５Ｒ及び左右の音伝達管路２４６Ｌ、２４６Ｒを通って放音部２０３Ｌ、２０３Ｒから外部に放音される。
【０１２９】
不透明部６８の左右両脇には、ネジ２４７、２４７のネジ部が挿通するネジ挿通孔が設けられている。受皿ユニット７の裏側には、ネジ２４７、２４７のネジ部が螺入するネジ螺入孔が設けられている。ネジ２４７、２４７は、ネジ部が不透明部６８のネジ挿通孔に挿通し、受皿ユニット７の裏側のネジ螺入孔に螺入して締め付けられることで、不透明部６８の前面に受皿ユニット７をネジ止固定する。
【０１３０】
受皿ユニット７の背面に設けられた遊技球ガイド部材２０８（図１３参照）は、受皿ユニット７の遊技球供給口８４からの遊技球を遊技盤取付枠３の発射部３１に導く。
以下、前扉体６の裏側について更に詳細に説明する。
【０１３１】
図１３において、前扉体６の透明収納部６２は、平面形状の中間部２１１、傾斜面部２１２、２１３及び上側の水平面部２１４、左右の側壁部２１５、２１６により形成され、中間部２１１、傾斜面部２１２、２１３、上側の水平面部２１４及び左右の側壁部２１５、２１６により背面側に形成される凹部２１７に遊技盤４（図１１参照）側の立体形状の電飾装置１０１を収納するようになっている。
【０１３２】
側壁部２１５、２１６は、遊技盤視認用透明窓６１の左右に配置する側壁部２２１、２２２に繋がっている。
【０１３３】
遊技盤視認用透明窓６１は上辺が直線状に形成され、左右両辺が側方に向けて膨出するように湾曲する。側壁部２２１、２２２と遊技盤視認用透明窓６１の間は、図１２に示すように前方から見て凹形状の曲面部２２３、２２４になっている。
【０１３４】
図１３において、前扉体６の左側辺部の上下端部には、図２に示した開閉連結支持機構１１、１２の上軸取付片２６１及び下軸取付片２６２がそれぞれ設けられている。上軸取付片２６１及び下軸取付片２６２には、それぞれ軸２６３、２６４が設けられており、軸２６３、２６４は、固定枠２（図９参照）の上軸受片１３１（図９参照）及び遊技盤取付枠３（図１０参照）の下軸取付兼軸受片１７０（図１０参照）にて回転可能な状態で軸受けが行われるようになっている。上側の軸２６３は、上軸取付片２６１の本体に対して上下にスライド可能であるとともに、図示しないコイルばねにより上方に付勢されている。上側の軸２６３を上軸受片１３１（図１０参照）の下側の軸受穴に取り付ける際には、上側の軸２６３を一旦下方にスライドさせる。
【０１３５】
以下、本実施形態のチャンスボタンユニット７６について詳細に説明する。
【０１３６】
図１４において、チャンスボタンユニット７６は、下側板状部５０１、モータ５０２、電飾ユニット５０３、反射回転体５０４、透明円筒部材５０５、上側板状部５０６、チャンスボタン保持部材５０７、コイルばね５０８Ｌ、５０８Ｒ、Ｅ型止め輪５０９Ｌ、５０９Ｒ及びネジ６１１、６１１、６１２、６１２、６１３から構成される。
【０１３７】
下側板状部５０１、モータ５０２、電飾ユニット５０３、反射回転体５０４、透明円筒部材５０５及び上側板状部５０６は、チャンスボタン５１０（図１５参照）を構成している。
【０１３８】
また、モータ５０２、電飾ユニット５０３、反射回転体５０４、透明円筒部材５０５は、図１に示したチャンスボタンユニット側電飾部７８（図１５参照）を構成している。
【０１３９】
下側板状部５０１は、円盤形状に形成され、上面の周辺部にリング形状の段部５１１を介してフランジ部５１２が形成されている。
【０１４０】
また、下側板状部５０１には、モータ５０２をネジ止めするためのネジ螺入孔５１３、５１３と、電飾ユニット５０３をネジ止めするためのネジ挿通孔５１４、５１４が形成されている。
【０１４１】
下側板状部５０１の後側には、チャンスボタン５１０を組み立てる際に用いられるネジ締着部５１５が形成されている。ネジ締着部５１５には、ネジ６１３のネジ部が下方から挿通されるネジ挿通孔５１６が形成されている。
【０１４２】
モータ５０２は、本体ケース５２１、回転軸５２２及びハーネス５２３を備えている。本体ケース５２１の他方の端面側には、左右のネジ締着部５２４、５２４が側方に延出して設けられている。左右のネジ締着部５２４、５２４には、ネジ６１１、６１１のネジ部が挿通するネジ挿通孔が形成されている。ネジ６１１、６１１は、ネジ部がモータ５０２の左右のネジ締着部５２４、５２４のネジ挿通孔に挿通し、下側板状部５０１のネジ螺入孔５１３、５１３に螺入して締め付けられることで、モータ５０２を下側板状部５０１にネジ止め固定する。
【０１４３】
電飾ユニット５０３は、筒状部５３１とフレキシブル基板５３２より構成されている。フレキシブル基板５３２は、帯状に形成された可撓性基板面となる帯状部５３３に複数（本実施形態の場合、８個）の発光ダイオード５３４を実装したものである。また、フレキシブル基板５３２は、帯状部５３３の一端側から横方向に細長の可撓性基板面がフレキシブルフラットケーブル部５３５として延出している。
【０１４４】
筒状部５３１の外周の上下にはフランジ部５３６、５３７が形成されている。筒状部５３１の外周の上下のフランジ部５３６、５３７の間には、フレキシブル基板５３２の帯状部５３３が巻き回されてネジ止めされている。
【０１４５】
筒状部５３１の内側には、モータ５０２の本体ケース５２１が挿入されるようになっている。円筒状壁部５１２の左右の下端部には、ネジ６１２、６１２のネジ部が螺入されるネジ螺入穴５３８、５３８が形成されている。ネジ６１２、６１２は、ネジ部が下側からネジ挿通孔５１４、５１４に挿通し、電飾ユニット５０３の筒状部５３１のネジ螺入穴５３８、５３８に螺入して締め付けられることで、電飾ユニット５０３を下側板状部５０１の上面にネジ止め固定する。
【０１４６】
反射回転体５０４は、円筒形状に形成さけた円筒部５４１の外周に複数（本実施形態の場合、１２枚）の反射板５４２を設けたものである。複数の反射板５４２は、表裏両面が反射面となり、上側から見て円筒部５４１の回転軸を中心にした放射線方向に対して４５°傾いた状態で配置している。円筒部５４１の複数の反射板５４２を設けた位置の間には、縦長四角形状の貫通部５４３が設けられている。貫通部５４３は、電飾ユニット５０３の発光ダイオード５３４からの光が通過可能になっている。
【０１４７】
円筒部５４１の上端側には板状部５４４が形成され、板状部５４４の中心には、モータ５０２の回転軸５２２が嵌入される回転軸嵌入孔５４５が形成されている。
【０１４８】
上側板状部５０６は、円盤形状に形成され、下面の周辺部にリング形状の段部５６１を介してフランジ部５６２が形成されている。操作部７７の表面となる上側板状部５０６の上面には、印刷によりマーク５６３が表示されている。
【０１４９】
上側板状部５０６の後側には、チャンスボタン５１０を組み立てる際に用いられるネジ止め部５６５が形成されている。ネジ止め部５６５には、ネジ６１３のネジ部が下方から螺入されるネジ螺入孔５６６が形成されている。
【０１５０】
透明円筒部材５０５は、ホリカーボネート等の透明樹脂で金型形成したものである。透明円筒部材５０５は、透明円筒部５５１を基本構造としている。透明円筒部５５１の後部下端側には、切欠き５５２、５５３が形成され、透明円筒部５５１の後部上端側には、切欠き５５４が形成されている。
【０１５１】
透明円筒部材５０５の切欠き５５２には、下側板状部５０１のネジ締着部５１５が嵌入されるようになっている。透明円筒部材５０５の切欠き５５３には、モータ５０２のハーネス５２３及び電飾ユニット５０３のフレキシブルフラットケーブル部５３５が挿入される。
【０１５２】
透明円筒部材５０５の切欠き５５４には、上側板状部５０６のネジ止め部５６５が嵌入されるようになっている。
【０１５３】
透明円筒部材５０５の切欠き５５２と切欠き５５４の間には、ネジ締着部５５５が後方に突出して設けられている。ネジ締着部５５５には、ネジ６１３のネジ部が挿通されるネジ挿通孔５５６が形成されている。
【０１５４】
透明円筒部材５０５の切欠き５５４より所定間隔を置いた右側には、チャンスボタン検出スイッチ７６ａに検出される突出片５５７が後方に突出して設けられている。この場合、突出片５５７は、光を透過しにくい塗料により塗装されている。
【０１５５】
透明円筒部材５０５は、透明円筒部５５１の左右上側寄りの外周には、左右の舌片５８１Ｌ、５８１Ｒが左右に突出して設けられている。舌片５８１Ｌ、５８１Ｒには、コイルばね５０８Ｌ、５０８Ｒのコイルの内側に挿入し、チャンスボタン保持部材５０７の貫通孔５７３Ｌ、５７３Ｒに挿通する棒状部５８２Ｌ、５８２Ｒが設けられている。棒状部５８２Ｌ、５８２Ｒの先端近傍には、Ｅ型止め輪５０９Ｌ、５０９Ｒ及が取り付けられる溝５８３Ｌ、５８３Ｒが形成されている。
【０１５６】
チャンスボタン保持部材５０７は、金属板をＣ字状に形成した板状部材５７１に透過式のフォトセンサを用いたチャンスボタン検出スイッチ７６ａをネジ止め固定したものである。板状部材５７１は、Ｃ字状部５７２を基本構造としている。Ｃ字状部５７２の左右両端近傍には、棒状部５８２Ｌ、５８２Ｒが挿通する貫通孔５７３Ｌ、５７３Ｒが形成されている。Ｃ字状部５７２の外周の後側には、受皿ユニット７のケース本体７０のネジ止め部８７にネジ止めされるネジ締着部５７４が形成される。Ｃ字状部５７２の外周の左斜め後側及び右斜め後側には、受皿ユニット７のケース本体７０にネジ止めされるネジ締着部５７５、５７５が形成される。Ｃ字状部５７２の左右の中間部の上面には、チャンスボタン検出スイッチ７６ａがネジ止め固定される。Ｃ字状部５７２には、チャンスボタン検出スイッチ７６ａの雌コネクタ部を下方に露出させるための切欠き５７６が形成されている。チャンスボタン検出スイッチ７６ａの雌コネクタ部は、切欠きを介してハーネス５７７の雄コネクタ部と接続する。
【０１５７】
コイルばね５０８Ｌ、５０８Ｒは、透明円筒部材５０５の左右の舌片５８１Ｌ、５８１Ｒとチャンスボタン保持部材５０７の貫通孔５７３Ｌ、５７３Ｒの縁部に間に介挿され、チャンスボタン保持部材５０７に対してチャンスボタン５１０を上方に付勢する。
【０１５８】
Ｅ型止め輪５０９Ｌ、５０９Ｒは、棒状部５８２Ｌ、５８２Ｒの溝５８３Ｌ、５８３Ｒに取り付けられた状態でチャンスボタン保持部材５０７の貫通孔５７３Ｌ、５７３Ｒの縁部に係止して、チャンスボタン保持部材５０７に対してチャンスボタン５１０が所定の高さ以上になるのを防止している。
【０１５９】
以下、チャンスボタンユニット７６の組み立て方法について説明する。
【０１６０】
チャンスボタンユニット７６を組み立てる場合、まず、作業者は、ネジ６１１、６１１を用いて下側板状部５０１の底面板状部５１１の上面にモータ５０２をネジ止め固定する。
【０１６１】
次に、作業者は、ネジ６１２、６１２を用いて下側板状部５０１の底面板状部５１１の上面に電飾ユニット５０３をネジ止め固定する。
【０１６２】
次に、作業者は、反射回転体５０４の回転軸嵌入孔５４５にモータ５０２の回転軸５２２を嵌入することで、モータ５０２の回転軸５２２に反射回転体５０４を取り付ける。
【０１６３】
次に、作業者は、透明円筒部材５０５の切欠き５５３にモータ５０２のハーネス５２３及び電飾ユニット５０３のフレキシブルフラットケーブル部５３５を挿入し、透明円筒部材５０５の切欠き５５２に下側板状部５０１のネジ締着部５１５を嵌入し、透明円筒部材５０５の下側に下側板状部５０１の段部５１１を嵌合させる。
【０１６４】
次に、作業者は、透明円筒部材５０５の切欠き５５４に上側板状部５０６のネジ止め部５６５を嵌入し、透明円筒部材５０５の上側に上側板状部５０６の段部５６１を嵌合させる。
【０１６５】
次に、作業者は、ネジ６１６のネジ部を下側板状部５０１のネジ締着部５１５のネジ挿通孔５１６に挿通し、透明円筒部材５０５のネジ締着部５５５のネジ挿通孔５５６に挿通し、上側板状部５０６のネジ止め部５６５のネジ螺入孔５６６に螺入してネジ６１６を締め付ける。これにより、下側板状部５０１及び透明円筒部材５０５が上側板状部５０６にネジ止め固定され、チャンスボタン５１０が組み立てられた状態になる。
【０１６６】
次に、作業者は、透明円筒部材５０５の棒状部５８２Ｌ、５８２Ｒをそれぞれコイルばね５０８Ｌ、５０８Ｒのコイルの内側に挿入し、さらに棒状部５８２Ｌ、５８２Ｒをそれぞれチャンスボタン保持部材５０７の貫通孔５７３Ｌ、５７３Ｒに挿通し、貫通孔５７３Ｌ、５７３Ｒから下方に突出した棒状部５８２Ｌ、５８２Ｒの溝５８３Ｌ、５８３ＲにそれぞれＥ型止め輪５０９Ｌ、５０９Ｒを取り付ける。
【０１６７】
これにより、コイルばね５０８Ｌ、５０８Ｒは、透明円筒部材５０５の左右の舌片５８１Ｌ、５８１Ｒとチャンスボタン保持部材５０７の貫通孔５７３Ｌ、５７３Ｒの縁部に間に介挿され、チャンスボタン保持部材５０７に対してチャンスボタン５１０を上方に付勢する。
【０１６８】
Ｅ型止め輪５０９Ｌ、５０９Ｒは、棒状部５８２Ｌ、５８２Ｒの溝５８３Ｌ、５８３Ｒに取り付けられた状態でチャンスボタン保持部材５０７の貫通孔５７３Ｌ、５７３Ｒの下側の縁部に係止して、チャンスボタン保持部材５０７に対してチャンスボタン５１０が所定の高さ以上になるのを防止する。チャンスボタン保持部材５０７に対してチャンスボタン５１０が前記所定の高さにある場合、透明円筒部材５０５の突出片５５７は、チャンスボタン検出スイッチ７６ａに検出されず、チャンスボタン検出スイッチ７６ａはオフ状態になる。即ち、チャンスボタンユニット７６が図７に示すように受皿ユニット７のケース本体７０に取り付けられた状態でチャンスボタン５１０の操作面７７に力が加えられない状態では、透明円筒部材５０５の突出片５５７は、チャンスボタン検出スイッチ７６ａに検出されず、チャンスボタン検出スイッチ７６ａはオフ状態になる。
【０１６９】
チャンスボタンユニット７６が図７に示すように受皿ユニット７のケース本体７０に取り付けられた状態でチャンスボタン５１０の操作面７７が遊技者の指により押されると、チャンスボタン５１０はコイルばね５０８Ｌ、５０８Ｒの付勢力に逆らいチャンスボタン保持部材５０７に対して下方に移動し、透明円筒部材５０５の突出片５５７は、チャンスボタン検出スイッチ７６ａに検出され、チャンスボタン検出スイッチ７６ａはオン状態になる。
【０１７０】
ここで、モータ５０２のハーネス５２３、電飾ユニット５０３のフレキシブルフラットケーブル部５３５及びチャンスボタン保持部材５０７のチャンスボタン検出スイッチ７６ａに接続するハーネス５７７は、図８に示すランプ制御基板４０４に接続する。また、チャンスボタン検出スイッチ７６ａに接続するハーネス５７７は、図８に示す演出制御基板４０２にも接続する。
【０１７１】
演出制御基板４０２は、例えば遊技中における特定のリーチ演出に際し、チャンスボタンユニット７６の操作部７７による操作が有効になった場合、電飾ユニット５０３の発光ダイオード５３４を点灯させ、チャンスボタン５１０を発光させて遊技者に対して操作部７７の操作を促す。操作部７７による操作が有効になった状態で特定の条件が成立した場合（例えば大当たり遊技の抽選に当選した場合）、演出制御基板４０２は、ランプ制御基板４０４を制御してチャンスボタンユニット７６のモータ５０２を回転駆動制御するとともに、チャンスボタンユニット７６の電飾ユニット５０３の発光ダイオード５３４を点灯制御する。この状態では、モータ５０２が反射回転体５０４を回転させ、電飾ユニット５０３の複数の発光ダイオード５３４が発光し、図１６に示すように複数の発光ダイオード５３４からの照明光Ｌ１が回転する反射回転体５０４の貫通部５４３通過し、反射回転体５０４の複数の反射板５４２に反射して透明円筒部材５０５の透明円筒部５５１を透過して照明光Ｌ２として外側に照射される。ここで、複数の反射板５４２は、円筒部５４１の回転軸を中心にした放射線方向に対して４５°傾いた状態で配置しているので、円筒部５４１の回転により複数の反射板５４２の角度が時間の経過に応じて変化し、複数の反射板５４２から反射される照明光Ｌ２は、照射方向が複雑に変動することになる。これにより、遊技者にインパクトの高い演出を行える。
【０１７２】
以下、固定枠２に対する遊技盤取付枠３の開閉動作について説明する。
図１９において、開閉連結支持機構１１、１２（図２参照）による固定枠２に対する遊技盤取付枠３の開閉軸線Ｌ１は、上述したように遊技機１の正面からみて左側において上下に沿って設定されており、この開閉軸線を軸心として固定枠２に対して遊技盤取付枠３が前方側に開放できるようになっている。
【０１７３】
以下、遊技盤取付枠３に対する前扉セット５の開閉動作について説明する。
図２０において、遊技盤取付枠３の前面側には、前扉セット５が開閉可能に取付けられている。前扉セット５は、遊技盤取付枠３と同様に、開閉連結支持機構１１、１２（図２参照）により、遊技機１の正面から見て左側において上下に沿って設定された開閉軸線Ｌ１を軸心として前方側に開放できるようになっている。前扉セット５の前扉体６から延出するハーネス２４３は、フック１６７により保持され貫通部１６８に挿通する。貫通部１６８を介して遊技盤取付枠３の裏側へ挿通したハーネス２４３は、遊技盤取付枠３側の発射制御基板３６（図６参照）、払出制御基板３７（図６参照）及び電源基板３８（図６参照）等に電気的に接続するとともに、中継基板及びハーネスを介して遊技盤４側の主制御基板４０１（図６参照）、演出制御基板４０２（図６参照）等に電気的に接続する。
【０１７４】
図２０の状態の遊技盤取付枠３に対して前扉セット５を閉じた場合、透明収納部６２に遊技盤４側の立体形状の電飾装置１０１が前扉セット５の裏側から収納され、施錠装置１６１の内枠鉤部１６２が前扉セット５の鉤受部１５を係止して、遊技盤取付枠３に対して前扉セット５が閉じた状態で施錠される。遊技盤取付枠３に対して前扉セット５が閉じた状態では、遊技盤視認用透明窓６１により遊技盤４のレール４２、４３間を上昇する遊技球及び遊技盤４の遊技領域４１内を落下する遊技球９０１（図７参照）が前方に移動して脱落するのを阻止している。
【０１７５】
このような構成及び動作を纏めて説明すると、固定枠２は、枠状に形成されている。
【０１７６】
遊技盤取付枠３は、枠状に形成され、前記固定枠２に対して開閉可能に支持され、枠形状の内側に遊技盤４が着脱可能になっている。
【０１７７】
前扉体６は、前記遊技盤取付枠３の前面に開閉可能な状態で支持され、前記遊技盤取付枠３に取り付けられた遊技盤４を視認可能にする遊技盤視認用透明窓６１が設けられるとともに、透明性を有した透明収納部６２が前記遊技盤視認用透明窓６１の上側に形成され、当該透明収納部６２に立体形状の装飾部材である電飾装置１０１を挿脱可能な状態で収納する。
【０１７８】
受皿ユニット７は、前記前扉体６の前記遊技盤視認用透明窓６１より下側に設けられ、遊技球の貯留を行う上側が開放した凹形状の遊技球供給皿７１が形成され、当該遊技球供給皿７１の縁部に上側パネル部７２が形成され、当該上側パネル部７２の手前に左右の段部７３Ｌ、７３Ｒを介して下側に配置する下側パネル部７４Ｌ、７４Ｒを有し、当該上側パネル部７２の前辺を切り欠いて切欠部７５が形成され、当該切欠部７５を含む凹部８が上側パネル部７２及び当該上側パネル部７２の下側の前面に形成されている。
【０１７９】
チャンスボタン５１０は、円柱形状に形成され、上側の端面に外部操作が可能な操作部７７を有し、前記上側パネル部７２の切欠部７５から前記操作部７７を露出させ上側の端面を前記上側パネル部７２と略同一平面上に配置した状態で前記凹部８に部分的に挿入されて受皿ユニット７に取り付けられる。
【０１８０】
チャンスボタン５１０は、演出用の操作ボタンになっている。
【０１８１】
チャンスボタンユニット側電飾部７８は、前記チャンスボタン５１０の上下の中間部に設けられ、前記受皿ユニット７の前記凹部８より前方に露出するする部分から演出用の照明を行う操作ボタン側電飾部になっている。
【０１８２】
チャンスボタンユニット７６の透明円筒部材５０５の透明円筒部５５１は、前記操作部７７の下側に設けられ円周面状に形成され透明性を有する円周面部になっている。
【０１８３】
複数の発光ダイオード５３４は、前記透明円筒部５５１の内側に設けられた発光部になっている。
【０１８４】
モータ５０２及び反射回転体５０４は、前記透明円筒部５５１の内側に設けられ、前記発光部からの照明光の照射方向を変動させて前記透明円筒部５５１の内側から外側へ透過させる光方向変動手段になっている。
【０１８５】
反射回転体５０４の複数の反射板５４２は、前記複数の発光ダイオード５３４からの照明光を反射面で反射する。
【０１８６】
モータ５０２は、前記反射面の角度が変化するように前記複数の反射板５４２を駆動する反射板駆動手段になっている。
【０１８７】
前記受皿ユニット７の前記下側パネル部７４Ｌ、７４Ｒには、音声の放音を行う左右の放音部２０３Ｌ、２０３Ｒが形成されている。
【０１８８】
前記受皿ユニット７は、前記下側パネル部７４Ｌ、７４Ｒ及びチャンスボタンユニット７６の下側に演出用の照明を行う受皿ユニット本体側電飾部として電飾装置２０５を有している。
【０１８９】
前記電飾装置１０１は、前記遊技盤４に取り付け固定されている。
【０１９０】
前記遊技盤視認用透明窓６１及び前記透明収納部６２は、透明の素材により一体成形されている。
【０１９１】
遊技盤視認用透明窓６１は、遊技盤４の遊技領域４１を視認可能にする。透明収納部６２は、電飾装置１０１を外部から視認可能にする。
【０１９２】
以上説明した本発明の実施形態によれば、前扉体６には、透明性を有した透明収納部６２が前記遊技盤視認用透明窓６１の上側に形成され、当該透明収納部６２には立体形状の電飾装置１０１を挿脱可能な状態で収納するので、遊技盤４の交換の際に遊技盤視認用透明部である前記遊技盤視認用透明窓６１の周囲を装飾する装飾部を遊技盤４の機種に個別に対応して新しくするとともに、装飾部の立体感を高め、装飾部に可動部や発光部等の演出装置を組み込むのを容易にして、遊技者に新台入替の目新しさを強く感じさせることができる。また、本発明の実施形態によれば、前記チャンスボタンユニット７６の上下の中間部に、前記受皿ユニット７の前記凹部８より前方に露出するする部分から演出用の照明を行うチャンスボタンユニット側電飾部７８が設けられているので、操作ボタンの操作を起因とした演出の効果を高めることができ、遊技者と遊技施設の関係者の双方に好印象を与えることができる。
【０１９３】
尚、図１乃至図２０に示した実施形態では、前記電飾装置１０１を収納する透明収納部６２を前記遊技盤視認用透明窓６１の上側のみに形成したが、前記装飾部材を収納する透明収納部は、前記遊技盤視認用透明窓６１の上側、一方及び他方の脇側のうち少なくとも一つの側に形成すればよく、上側、一方及び他方の脇側の全てに形成してもよい。また、図１乃至図２０に示した前記電飾装置１０１には、電動で駆動する可動部を演出装置として組み込んでもよい。
【符号の説明】
【０１９４】
１……遊技機、２……固定枠（外枠）、３……遊技盤取付枠（内枠）、
４……遊技盤、５……前扉セット、６……前扉体、７……受皿ユニット、
８……凹部、１１、１２……開閉連結支持機構、１３……シリンダ錠、
２１……固定枠本体、３１……発射部、３２Ｌ、３２Ｒ……スピーカ、
３３……貯留タンク、３４……上部賞球ケース、３５……払出装置、
３６……発射制御基板、３７……払出制御基板、３８……電源基板、
４０……遊技板、４１……遊技領域、４２、４３……レール、
４４……センター役物、４５……画像出力装置、４６……第１始動口、
４７Ｌ、４７Ｒ……可動片、４８……第２始動口、
４９……入賞ゲート、５０ａ、５０ｂ、５０ｃ、５０ｄ……普通入賞口、
５８……大入賞口ユニット、５９……開閉扉、６０……大入賞口、
６１……遊技盤視認用透明窓、６２……透明収納部、
６４……球払出口、６５……操作ハンドル、６６……発射指示部材、
７０……ケース本体、７１……遊技球供給皿、７２……上側パネル部、
７３Ｌ、７３Ｒ……段部、７４Ｌ、７４Ｒ……下側パネル部、
７５……切欠部、  ７６……チャンスボタンユニット、
７６ａ……チャンスボタン検出スイッチ、７７……操作部、
７８……チャンスボタンユニット側電飾部、
７９……球貸しボタン、８０……返却ボタン、８１……表示部、
８３……整列路、８４……遊技球供給口、
８５……球抜きボタン、  ９１、９２……演出用役物装置、
１００…延出部、１０１…電飾装置、２０１……球抜きボタン、
２０２……下側球排出口、２０３Ｌ、２０３Ｒ……放音部、
２０４……透明部、  ２０５……電飾装置、４０１……主制御基板、
４０２……演出制御基板、４０３……遊技情報出力端子板、
４１１、４１３……基板ケース、４１２……背面カバー、
４５２……発光ダイオード、５００……カード挿排口、
５０１……下側板状部、５０２……モータ、
５０３……電飾ユニット、５０４……反射回転体、
５０５……透明円筒部材、５０６……上側板状部、
５０７……チャンスボタン保持部材、５０８Ｌ、５０８Ｒ……コイルばね、
５０９Ｌ、５０９Ｒ……Ｅ型止め輪、５１０……チャンスボタン、
５３４……発光ダイオード、５４２……反射板、５５１……透明円筒部
【図１】
0005508799.tif 000002
【図２】
0005508799.tif 000003
【図３】
0005508799.tif 000004
【図４】
0005508799.tif 000005
【図５】
0005508799.tif 000006
【図６】
0005508799.tif 000007
【図７】
0005508799.tif 000008
【図８】
0005508799.tif 000009
【図９】
0005508799.tif 000010
【図１０】
0005508799.tif 000011
【図１１】
0005508799.tif 000012
【図１２】
0005508799.tif 000013
【図１３】
0005508799.tif 000014
【図１４】
0005508799.tif 000015
【図１５】
0005508799.tif 000016
【図１６】
0005508799.tif 000017
【図１７】
0005508799.tif 000018
【図１８】
0005508799.tif 000019
【図１９】
0005508799.tif 000020
【図２０】
0005508799.tif 000021